(57)【要約】【課題】主装飾体と挟着部材を閉じた際の保持力を長期間保つことを目的とする。【解決手段】一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とに形成された取付脚部と取付基部とが相対的に回動する際、前記金属板材に大きな負荷がかかるようになっており、また前記取付脚部側の主装飾体または挟着部材の内側には、前記取付基部の内周面および先端部を抑える板バネが設けてあり、かつ該板バネを前記取付基部の幅と等しいかそれよりも狭い幅に形成するとともに、前記板バネを前記取付基部の両側面から突出させた前記金属板材間に収納させたことを特徴とする装身具の挟着構造。【選択図】 図６
2019198474.tif 000002
【特許請求の範囲】
【請求項１】
一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、
また前記取付脚部側の主装飾体または挟着部材の内側には、前記取付基部の内周面および先端部を抑える板バネが設けてあり、該板バネを前記取付基部の幅と等しいかそれよりも狭い幅に形成するとともに、前記板バネを前記取付基部の両側面から突出させた前記金属板材間に収納させたことを特徴とする装身具の挟着構造。
【請求項２】
前記取付基部の両側面から突出させた前記金属板材が、前記板バネとの係合が解除されない突出幅を有するようにしたことを特徴とする請求項１記載の装身具の挟着構造。
【請求項３】
前記平滑な金属板材は、その厚さを０．１〜０．３ｍｍの範囲のものとしたことを特徴とする請求項１または２記載の装身具の挟着構造。
【発明の詳細な説明】
【技術分野】
【０００１】
この発明は装身具の挟着構造に関するものである。
【背景技術】
【０００２】
本発明者は、従来から新規なイヤリングを提案してきた。
先ず第１に、特開平１０−２７６８１０号公報（特許文献１参照）において、一対の取付脚部を備えた主装飾体と、一対の取付脚部間に納まる取付基部が形成された挟着部材とを備え、取付脚部と取付基部との間にワッシャを介在させた上、これらをピンによって貫通させ、かつ当該部位を加締めることによって両者を閉じた際に挟着力を付与するイヤリングを提案した。
【０００３】
上述のワッシャ状の板材を介在させたイヤリングにおいては、耳たぶに対しては両者の摩擦によってそれ程大きな挟着力を発揮せずに装着することができ、またこの両者の開閉を繰り返すことによって接触し合う取付脚部と取付基部とが接触摩擦により摩耗したり変形することもある程度防ぐことができるものの、使用中に挟着力が低下しやすいという問題はいまだ残されたままである。
【０００４】
そこで本発明者は鋭意研究し、特許第４５９２１１６号公報（特許文献２）において、一方の主装飾体と他方の挟着部材とに一対の取付脚部と取付基部とを形成するとともに、前記一対の取付脚部と取付基部との間に１枚もしくは２枚の弾性を有する平滑な円形金属板材を介装してこれらを軸着し、前記円形金属板材とともに該軸部を加締めてなるイヤリングであって、前記取付基部は前記円形金属板材の直径よりも細い幅に形成されており、一方の主装飾体と他方の挟着部材とにそれぞれ形成された取付脚部と取付基部とが相対的に回動する際、前記円形金属板材は前記取付基部との当接部分に掛かる負荷で前記取付基部の幅方向の端縁との交差部分が内向きにたわみ、該たわみ部分が前記取付基部の前記端縁との間で係合するようにしたクリップ式イヤリングを提案した。
【０００５】
一方、本発明者は別途、一対の装飾部と、装飾部の一端に突片を形成し、装飾部の一端には該突片を挟む分岐部が形成され、これらをピンにて回転可能に連結し、装飾部の内側に前記突片の内周面及び先端面を抑えるばねを備え、装飾部にてほぼル−プを構成した装身具であって、装飾部の内周側で前記分岐部に臨んでフックを備え、先端を分岐部より突出させ、かつ後端を装飾部の内周面に向かって曲げられたばねの中間部分を、前記フックにて装飾部の内周面に向かって押え込み、当該ばねの先端に弾発力を付与した装身具の挟着構造を特許第３８０６８７３号公報（特許文献３）において提案している。
【先行技術文献】
【特許文献】
【０００６】
【特許文献１】特開平１０−２７６８１０号公報
【特許文献２】特許第４５９２１１６号公報
【特許文献３】特許第３８０６８７３号公報
【発明の概要】
【発明が解決しようとする課題】
【０００７】
上述のように、特許第４５９２１１６号公報（特許文献２）においては、前記一対の取付脚部と取付基部との間に弾性を有する平滑な円形金属板材を介装してこれらを軸着するとともに、前記金属板材とともに該軸部を加締めてなるイヤリングであって、前記金属板材の直径を前記取付基部の厚みよりも大きくすることにより、前記円形金属板材の外縁が前記取付基部との当接部分に掛かる負荷で内向きにたわみ、該たわみ部分が前記取付基部の前記端縁との間で係合してイヤリングを閉じた際の保持力を長期間保つことができるようになっている。
しかしながら、使用中に挟着力が低下しやすいという問題の根本的な解決にはなっていなかったのである。
【０００８】
この発明は従来の装身具の挟着構造の前記欠点を改良するものであって、一対の取付脚部と取付基部との間に介装される１枚もしくは複数枚の平滑な金属板材として前記取付基部の厚みよりも大きな径を有するように形成されており、一方の主装飾体と他方の挟着部材とにそれぞれ形成された取付脚部と取付基部とが相対的に回動する際、前記金属板材にかかる負荷が前記取付基部の幅方向の端縁との係合部分にかかって大きな挟着力が得られ、長い期間の使用に耐えられることはもちろん、一方の主装飾体もしくは他方の挟着部材に内蔵させた板バネで、主装飾体と挟着部材を閉じた際の保持力を長期間保つことができるようにすることを目的とするものである。
【課題を解決するための手段】
【０００９】
すなわちこの発明の装身具の挟着構造は、一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、
また前記取付脚部側の主装飾体または挟着部材の内側には、前記取付基部の内周面および先端部を抑える板バネが配設してあり、該板バネを前記取付基部の幅と等しいかそれよりも狭い幅に形成するとともに、前記取付基部の両側面から突出させた前記金属板材間に収納させたことを特徴とするものである。
【００１０】
この発明の装身具の挟着構造において、前記取付基部の両側面から突出させた前記金属板材が、前記板バネとの係合を確保できる突出幅を有するようにしたことをも特徴とするものである。
【００１１】
この発明の装身具の挟着構造において、前記平滑な金属板材は、その厚さを０．１〜０．３ｍｍの範囲のものとしたことをも特徴とするものである。
【発明の効果】
【００１２】
以上のようにこの発明においては、一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、また前記取付脚部側の主装飾体または挟着部材の内側には、前記取付基部の内周面および先端部を抑える板バネが設けてあり、該板バネを前記取付基部の幅と等しいかそれよりも狭い幅に形成するとともに、前記取付基部の両側面から突出させた前記金属板材間に収納させたものである。
すなわち、板バネによって挟着力が低下しにくくかつ使用中一定の挟着力を保持することができ、しかもその挟着力が極めて長期間にわたって保持されるという顕著な効果を奏し、この種の製品の弱点であった挟着力の持続に関する問題点を根本的に解消することに成功したのである。
【００１３】
また、前記取付基部の両側面から突出させた前記金属板材が、前記板バネとの係合を確保できる突出幅を持つように形成されており、前記取付基部の両側面から突出させた前記金属板材間に前記板バネを収納させることにより、前記取付脚部側の主装飾体または挟着部材の内側に板バネを取り付ける際に前記金属板材が板バネをガイドするため、板バネの組付け工程を非常にスムーズを行うことができるようになった。
もちろん、前記金属板材が板バネの横ブレを防止するため、板バネが前記取付基部の内周面および先端部の接合部位からずれることがなく、非常に高品質の装身具の挟着構造を提供することができる。
【図面の簡単な説明】
【００１４】
【図１】この発明の装身具の挟着構造の１実施例を示す概略側面図である。
【図２】主装飾体と挟着部材とを開いた状態の概略斜視図である。
【図３】軸着部分の分解状態の概略断面図である。
【図４】それを組み付けた状態の概略断面図である。
【図５】軸着部分の概略拡大図である。
【図６】それを開いた状態の概略拡大図である。
【発明を実施するための形態】
【００１５】
以下、この発明の装身具の挟着構造の実施の形態としてクリップ式イヤリングに適用した場合を図面に基いてより詳しく説明する。
【００１６】
図１ないし図６に示す実施例において、１１は主装飾体であり、１２は耳たぶ挟着部材としての副装飾体であって、その全体形状はほぼ同じ円弧状で、組み付けた状態ではリング状をなし、この例では前面側にダイヤモンド等からなる宝石３３が取り付けてある。もちろん、両者はいずれの側を耳たぶの表側に向けて装着してもよい。また断面形状はほぼ四角としてあるが、円弧状のいわゆる甲丸であってもよい。なお素材としてはともに金（Ｋ−１８等）やプラチナ、銀等が使用可能である。
前記主装飾体１１の連結部分には一対の取付脚部１３，１４が一体に備えられ、これと対向して副装飾体１２の連結部分には前記取付脚部１３，１４間に嵌り合う取付基部１５が一体に形成されている。
【００１７】
そして、これらに開けられた貫通孔１６，１７にピン１８を挿通し、この部位を加締めることとなるが、この際、取付脚部１３，１４と取付基部１５との間に、厚さ０．１〜０．３ｍｍ、好ましくは厚さ０．１５ｍｍのステンレス製等の、クッション性のある１枚もしくは複数枚の平滑な金属板材１９を介して加締めたものである。
平滑な金属板材１９の厚さを０．１〜０．３ｍｍの範囲のものとした理由は、０．１ｍｍ以下の場合にその弾性が生かせなくなってしまうためである。また０．３ｍｍ以上の場合には、金属板材１９そのものの弾性がなくなってしまうためである。
金属板材１９は１枚もしくは複数枚であればよいが、２枚であっても経済性や組み付けの作業性等には問題がなく、挟着力の持続性を勘案すれば２枚とすることが望ましい。
前記金属板材１９は円形としてあるが、楕円形、多角形であってもよい。
なお、符号３０，３１は主装飾体１１および副装飾体１２の端面に形成した耳当部である。
【００１８】
この実施例においては、前記平滑な金属板材１９の面積は、図５および図６に示すように、前記取付基部１５の厚みよりも広い径に形成されている。もちろん、前記取付脚部１３，１４の厚みが前記取付基部１５の厚みとほぼ等しくても、また前記取付基部１５の厚みよりも大きくても問題はない。
そして、一方の主装飾体１１と他方の副装飾体１２とにそれぞれ形成された取付脚部１３，１４と取付基部１５とが相対的に回動する際、前記金属板材１９にかかる負荷が前記取付基部１５の幅方向の端縁３２との係合部分にかかるようにしてある。
【００１９】
また本発明においては、前記取付脚部１３，１４側の主装飾体１１または副装飾体１２の内側には、前記取付基部１５の内周面および先端部を抑える板バネ２１が設けてあり、かつ該板バネ２１は前記取付基部１５の幅と等しいかそれよりも狭い幅に形成してある。
そして、前記板バネ２１は前記取付基部１５の両側面から突出させた前記金属板材１９間に収納させてある。
なお前記金属板材１９は、前記板バネ２１との係合が解除されない突出幅を有すればよく、例えば前記板バネ２１の厚みよりも小さい突出幅であっても、前記板バネ２１との係合が解除されなければ適用可能である。
【００２０】
より詳しくは、本発明の板バネ２１の形状は常態で略Ｌ字状をなし、Ｌ字の長片の先端を前記取付脚部１３，１４間の長さ方向に突出する部位とし、Ｌ字の短片の先端を主装飾体１１の内周面に設けた凹溝内にはめ込んだものであり、Ｌ字の長片の中間部分をフック２２にて主装飾体１１の内周面側に押さえ付けてなるものである。また前記板バネ２１の後側には主装飾体１１の内周面との間で空間部２１ｄを形成し、先端２１ａにて前記取付基部１５の内周面１５ａを弾発性をもって押さえ付けるものである。
【００２１】
本発明の板バネ２１の全体形状は前記実施例に限定されるものではない。そして、フック２２は板バネ２１の中間部分２１ｂに形成されるのがよく、さらに望ましくは、板バネ２１の後端２１ｃは主装飾体１１の内周面に設けられた窪み１１ａに収納されるのがよい。
【００２２】
本発明の装身具の挟着構造は以上のような構成を有するものであり、板バネ２１はフック２２の存在によって常に板バネ２１に弾発性を付与した状態で主装飾体１１に装着されるものである。このため、耳たぶへの装着は確実になることは言うまでもない。そして、板バネ２１は予めフック２２の働きにより弾発性を与えておくものであり、このため、本発明で用いられる板バネ２１は従来のものよりも小型で弱いバネで十分であり、柔らか味のあるばね特性が得られることになる。
【００２３】
そして、板バネ２１の後端２１ｃは常に主装飾体１１の内周面に押さえ付けられているため、その後端２１ｃが内周面に食い込む働きをする。このため、従来のばねのように使用中に抜けだすような欠点はなく、板バネ２１の装着時にさほど注意を払わずに済むため、その組立て作業性は極めて優れたものとなる。
【００２４】
また、前記板バネ２１は前記取付基部１５の幅と等しいかそれよりも狭い幅に形成されて前記取付基部１５の両側面から突出させた前記金属板材１９間に収納させている。要は、前記金属板材１９が前記板バネ２１との係合を確保できる突出幅を持つように形成してあればよい。そうすることによって、前記取付脚部１３，１４側の主装飾体１１または副装飾体１２の内側に前記板バネ２１を取り付ける際に前記金属板材１９が板バネ２１をガイドするため、板バネ２１の組付け工程を非常にスムーズを行うことができるようになった。
もちろん、前記金属板材１９が板バネ２１の横ブレを防止するため、板バネ２１が前記取付基部１５の内周面および先端部の接合部位からずれることがなく、非常に高品質の装身具の挟着構造を提供することができる。
【００２５】
ちなみに、従来の単にワッシャを介在させた装身具の挟着構造では、数十回〜数百回くり返して開閉操作すると挟着力の低下が見られたのに対し、この実施例における装身具の挟着構造ではそれ以上の開閉操作でも挟着力の低下がまったく見られず、挟着力自体も従来のワッシャ型の装身具の挟着構造よりも格段に優れていたのである。
【産業上の利用可能性】
【００２６】
この発明は以上の通り、一方の主装飾体と他方の挟着部材とにそれぞれ形成された取付脚部と取付基部とが相対的に回動する際、前記中間の金属板材がフリーな状態となって各金属板材の係合面にかかる負荷がばらつくこととなってバネ性が向上し、挟着力が長期間一定に保持されるようにしたものである。
したがって、図示したような円弧状の挟着部材を用いた場合のみならず、その他のデザインや、ピアス用のピンを設けた装身具の挟着構造、フリーサイズの指輪、ブレスレット等にも適用可能であることはいうまでもない。
【符号の説明】
【００２７】
１１  主装飾体
１１ａ  窪み
１２  副装飾体
１３，１４  取付脚部
１５  取付基部
１５ａ  内周面
１６，１７  貫通孔
１８  ピン
１９  金属板材
２１  板バネ
２１ａ  先端
２１ｂ  中間部分
２１ｃ  後端
２１ｄ  空間部
２２  フック
３０，３１  耳当部
３２  取付基部の幅方向の端縁
３３  宝石
【図１】
2019198474.tif 000003
【図２】
2019198474.tif 000004
【図３】
2019198474.tif 000005
【図４】
2019198474.tif 000006
【図５】
2019198474.tif 000007
【図６】
2019198474.tif 000008
【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、
また前記取付脚部側の主装飾体または挟着部材の内側には、前記取付基部の内周面および先端部を弾発性をもって押さえ付ける板バネが設けてあり、該板バネを前記取付基部の幅と等しいかそれよりも狭い幅に形成するとともに、前記板バネを前記取付基部の両側面から突出させた前記金属板材間に収納させたことを特徴とする装身具の挟着構造。
【請求項２】
前記取付基部の両側面から突出させた前記金属板材が、前記板バネとの係合が解除されない突出幅を有するようにしたことを特徴とする請求項１記載の装身具の挟着構造。
【請求項３】
前記平滑な金属板材は、その厚さを０．１〜０．３ｍｍの範囲のものとしたことを特徴とする請求項１または２記載の装身具の挟着構造。
【手続補正２】
【補正対象書類名】明細書
【補正対象項目名】０００９
【補正方法】変更
【補正の内容】
【０００９】
すなわちこの発明の装身具の挟着構造は、一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、また前記取付脚部側の主装飾体または挟着部材の内側には、前記取付基部の内周面および先端部を弾発性をもって押さえ付ける板バネが配設してあり、該板バネを前記取付基部の幅と等しいかそれよりも狭い幅に形成するとともに、前記取付基部の両側面から突出させた前記金属板材間に収納させたことを特徴とするものである。
【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、
また前記取付脚部側の主装飾体または挟着部材の内側には、前記取付基部の内周面および先端部を弾発性をもって押さえ付ける板バネが設けてあり、該板バネを前記取付基部の幅と等しい幅に形成するとともに、前記板バネを前記取付基部の両側面から突出させた前記金属板材間に収納させたことを特徴とする装身具の挟着構造。
【請求項２】
前記取付基部の両側面から突出させた前記金属板材が、前記板バネとの係合が解除されない突出幅を有するようにしたことを特徴とする請求項１記載の装身具の挟着構造。
【請求項３】
前記平滑な金属板材は、その厚さを０．１〜０．３ｍｍの範囲のものとしたことを特徴とする請求項１または２記載の装身具の挟着構造。
【手続補正２】
【補正対象書類名】明細書
【補正対象項目名】０００９
【補正方法】変更
【補正の内容】
【０００９】
すなわちこの発明の装身具の挟着構造は、一方の主装飾体と他方の挟着部材とに一対の取付脚部と取付基部とを形成するとともに、前記一対の取付脚部と取付基部との間に１枚もしくは複数枚の平滑な金属板材を介装してこれらを軸着するとともに、前記金属板材とともに該軸部を加締めてなる装身具の挟着構造であって、前記一方の主装飾体と他方の挟着部材とにそれぞれ形成された取付脚部と取付基部とが相対的に回動する際、前記金属板材に大きな負荷がかかるようになっており、また前記取付脚部側の主装飾体または挟着部材の内側には、前記取付基部の内周面および先端部を弾発性をもって押さえ付ける板バネが配設してあり、該板バネを前記取付基部の幅と等しい幅に形成するとともに、前記取付基部の両側面から突出させた前記金属板材間に収納させたことを特徴とするものである。